(57)【特許請求の範囲】
【請求項１】
印刷媒体を補充するための第１媒体収容部を備える画像記録装置において、
他装置より画像データを受信する受信部と、
前記受信部が受信した画像データに基づいて前記第１媒体収容部から給紙される印刷媒体に印刷を行う印刷部と、
現在時刻を取得する時刻取得部と、 
現在時刻が予め設定した所定時刻であるかどうかを判断する時刻判断部と、
前記時刻判断部が所定時刻であると判断すると、前記第１媒体収容部への印刷媒体の補充を促す警告を出力する報知部と、
を備えることを特徴とする画像記録装置。
【請求項２】
前記印刷部により印刷された印刷媒体を排出するための第１排出媒体収容部及び第２排出媒体収容部と、
前記所定時刻以後に前記第１排出媒体収容部に所定数の印刷媒体が排出されると前記第２排出媒体収容部に排出させるべく前記印刷部を制御する排出選択部と、
を更に備えることを特徴とする請求項1に記載の画像記録装置。
【請求項３】
前記第１媒体収容部と少なくとも一以上の他の第２媒体収容部とを選択する収容部選択部を備え、
前記収容部選択部は前記所定時刻において前記第１媒体収容部を選択することを特徴とする請求項１乃至請求項２に記載の画像記録装置。
【請求項４】
前記第１媒体収容部は、前記他の媒体収容部より媒体収容量が多いことを特徴とする請求項３に記載の画像記録装置。
【請求項５】
前記第１媒体収容部は、
ユーザにより予め指定された媒体収容部であることを特徴とする請求項３に記載の画像記録装置。
【請求項６】
前記第１媒体収容部は、媒体搬送エラーが発生し難い印刷媒体が格納された収容部であることを特徴とする請求項３に記載の画像記録装置。
【請求項７】
画像データを受信する受信部と、印刷媒体を収容するための複数の媒体収容部とを備えた画像記録装置において、
時刻を計測する時計部と、
前記受信部を介して画像データを受信すると、前記時計部の示す時刻に基づき、前記複数の媒体収容部から１つの媒体収容部を選択する選択部と、
前記選択部により選択された当該媒体収容部に収容された媒体に、画像データに基づく印刷処理を行う印刷部とを備え、
前記選択部は、各々の前記媒体収容部が収容可能な媒体の枚数と、前記時計部の示す時刻とに基づき前記媒体収容部を選択することを特徴とする画像記録装置。
【請求項８】
前記時計部の示す時刻に基づき前記選択された媒体収容部への媒体の補充を促す警告を出力する報知部を更に備えることを特徴とするクレーム7記載の画像記録装置。
【請求項９】
前記印刷部により印刷された印刷媒体を排出するための第１排出媒体収容部及び第２排出媒体収容部と、
前記所定時刻以後に前記第１排出媒体収容部に所定数の印刷媒体が排出されると前記第２排出媒体収容部に排出させるべく前記印刷部を制御する排出選択部と、を更に備えることを特徴とする請求項７に記載の画像記録装置。
【請求項１０】
前記選択された媒体収容部は他の媒体収容部より媒体収容量が多いことを特徴とする請求項７に記載の画像記録装置。
【発明の詳細な説明】
【技術分野】
【０００１】
本発明は、受信した画像データに基づき、印刷媒体上に画像を形成する画像記録装置に関する。
【背景技術】
【０００２】
従来、この種の画像記録装置として、例えば特許文献１に開示されているように、通信回線を介して送信側のファクシミリ装置から画像データを受信すると、該画像データを画メモリに記憶し、該記憶した画像データを読み出して画像に展開し、該展開した画像を用紙に印刷するファクシミリ装置が提案されている。このようなファクシミリ装置では、例えば用紙を積載保持するための用紙トレイが装置本体に対し引き出し可能に取り付けられている。
【先行技術文献】
【特許文献】
【０００３】
【特許文献１】特開２００１−８０１７号公報
【発明の概要】
【発明が解決しようとする課題】
【０００４】
ところで、上記ファクシミリ装置は、相手側ファクシミリ装置から画像データを受信すると、該画像データに基づく印刷処理中に用紙切れ又は用紙詰まりが発生することがある。上記ファクシミリ装置が、オフィス等に導入された場合、夜間に上記不具合が発生すると、社員の数がまばら又は無人のため、これら不具合への対処が迅速に行われず、印刷機能が停止してしまう。また、上記ファクシミリ装置では、上記状況時において、新たな画像データを受信すると、画メモリに順次画像データを記憶するが、記憶データのサイズが増加してメモリ容量が飽和すると、画像データの記憶が不可能になり、従って、画像データの受信機能が停止してしまうという問題があった。
【０００５】
以上の問題点に鑑み、本発明の目的は、夜間に受信を行った場合において、用紙切れ又は用紙詰まりにより印刷機能が停止する頻度を低減し、かつ印刷機能の停止に伴い画像データ蓄積メモリに容量不足が生じて受信機能が停止する頻度を低減し得る画像記録装置を提供することにある。
【課題を解決するための手段】
【０００６】
本発明は、以上の点を解決するために、次の構成を採用する。
＜構成＞
本発明の画像記録装置は、画像データを受信する受信部と、印刷媒体を収容するための複数の媒体収容部とを備えた画像記録装置において、時刻を計測する時計部と、受信部を介して画像データを受信すると、時計部の示す時刻に基づき、複数の媒体収容部から１つの媒体収容部を選択する選択部と、選択部により選択された当該媒体収容部に収容された媒体に、画像データに基づく印刷処理を行う印刷部とを備えることを特徴とする。
【発明の効果】
【０００７】
本発明によれば、多量の用紙を積載可能な大容量トレイを備え、そして、夜間に受信を行った場合、受信した画像データに基づく印刷処理を大容量トレイを用いて行うよう制御するので、用紙切れが生じる頻度を低減することができる。従って、本発明によれば、用紙切れにより印刷機能及び受信機能が停止する頻度を低減することが可能となる。
【図面の簡単な説明】
【０００８】
【図１】本発明に係る実施例１のファクシミリ装置１００の外観を示す図である。
【図２】本発明に係る実施例１のファクシミリ装置１００の制御構成を示すブロック図である。
【図３】本発明に係る実施例１のＲＯＭ１０３の構成を示す図である。
【図４】本発明に係る実施例１のＲＡＭ１０４の構成を示す図である。
【図５】本発明に係る実施例１の補給警告プログラムの構成を示すフローチャートである。
【図６】本発明に係る実施例１のファクシミリ受信プログラムの構成を示すフローチャートである。
【図７】本発明に係る実施例１の印刷制御プログラムの構成を示すフローチャートである。
【図８】本発明に係る実施例１の給紙トレイ選択プログラムの構成を示すフローチャートである。
【図９】本発明に係る実施例２のファクシミリ装置１００ａの外観を示す図である。
【図１０】本発明に係る実施例２のファクシミリ装置１００ａの制御構成を示すブロック図である。
【図１１】本発明に係る実施例２のＲＯＭ１０３ａの構成を示す図である。
【図１２】本発明に係る実施例２のＲＡＭ１０４ａの構成を示す図である。
【図１３】本発明に係る実施例２の夜間トレイ設定プログラムの構成を示すフローチャートである。
【図１４】本発明に係る実施例２の補給警告プログラム２の構成を示すフローチャートである。
【図１５】本発明に係る実施例２の給紙トレイ選択プログラム２の構成を示すフローチャートである。
【発明を実施するための形態】
【０００９】
以下、本発明の実施形態を、図を用いて詳細に説明する。ここでは、画像記録装置であるファクシミリ装置がオフィスに導入され、夜間に社員の数がまばら又は無人になる運用環境で使用される場合を例に、説明を行う。
【実施例１】
【００１０】
＜実施例１の構成＞
図１は、本発明に係る実施例１のファクシミリ装置１００の外観を示す図である。
ファクシミリ装置１００は、図１に示すように、入力表示部１０５と、印刷部１０６と、音声出力部１０８と、該装置の上部に位置する画像読取部２００と、該装置の下部に着脱可能に装着されている小容量トレイ１０６３及び大容量トレイ１０６４とを備える。
このファクシミリ装置１００は、例えば図示しないＶｏＩＰアダプタを介してアナログ公衆回線網及びＩＰ網と接続されており、他のファクシミリ装置とファクシミリ通信（受信、送信）を行うことが可能である。
ファクシミリ装置１００と、他のファクシミリ装置との間で行うファクシミリ通信については周知の技術であるため、詳細な説明は割愛する。
【００１１】
入力表示部１０５は、図１に示すように、タッチパネルディスプレイ１０５１と、各種ボタン群１０５２と、「スタート」ボタン１０５３と、「キャンセル」ボタン１０５４とから構成される。
タッチパネルディスプレイ１０５１は、図１に示すように、入力表示部１０５を操作するユーザから各種指示の入力を受け付ける、又はユーザに対する各種通知を表示するための部分である。
このタッチパネルディスプレイ１０５１は、後述する通信Ｉ／Ｆ部（図２参照）がファクシミリ受信を行うと、後述する制御部１０１（図２参照）の制御に基づいて、該受信をユーザに対し通知するための受信通知画面を表示する。
【００１２】
各種ボタン群１０５２は、ユーザが送信先のファクシミリ装置のファクシミリ番号を入力するために用いる、０〜９までの各数字に対応する複数のボタンから成る。
【００１３】
「スタート」ボタン１０５３は、ユーザが画像読取部２００の手差しトレイ２０１に原稿を載置し、各種ボタン群１０５２を用いて送信先のファクシミリ番号を入力した後、ファクシミリ送信を指示するために押下するボタンである。
【００１４】
「キャンセル」ボタン１０５４は、ユーザが「スタート」ボタン１０５３を押下し、ファクシミリ送信が開始された状況において、当該送信処理の取り消しを指示するために押下するボタンである。
【００１５】
印刷部１０６は、上記小容量トレイ１０６３と、大容量トレイ１０６４と、排出用紙積載部１０６５とを有する。
小容量トレイ１０６３は、少量の枚数（例えば１００枚まで）を収容可能な用紙トレイである。
大容量トレイ１０６４は、多量の枚数（例えば５００枚まで）を収容可能な用紙トレイである。
本実施例１では、ファクシミリ装置１００は、大容量トレイ１０６４を有する構成であるため、該装置のサイズが大きくなってしまう。このため、ファクシミリ装置１００は、他のトレイとして通常の枚数（例えば３００枚）よりも少量の枚数（例えば１００枚）を積載可能な小容量トレイ１０６３を有する構成となっている。しかしながら、本発明はこれに限らず、ユーザの用紙補給の頻度を低減すべく、該小容量トレイ１０６３の代わりに通常の枚数を積載保持可能な用紙トレイを有する構成にも適用可能である。
また、本実施例１では、ファクシミリ装置１００は、図１に示すように、１つの小容量トレイ１０６３を有する構成となっているが、本発明はこれに限らず、複数のサイズの用紙を用いて印刷処理を可能にすべく、複数の小容量トレイを有する構成にも適用可能である。
【００１６】
排出用紙積載部１０６５は、ファクシミリ装置１００の図示しない排出部から排出された、印刷処理が完了した用紙を積載保持するための部分である。
この排出用紙積載部１０６５は、図１に示すように、多量（最大５００枚）の用紙の積載を可能にすべく、該排出用紙積載部１０６５と画像読取部２００の下部との間隔Ｌを十分に保つ（長い）構成となっている。
本実施例１では、ファクシミリ装置１００は、図１に示すように、排出用紙積載部１０６５と画像読取部２００の下部との間隔Ｌが長い構成となっているが、本発明はこれに限らず、該間隔Ｌを一般的な長さにし、かつ装置本体の側面に複数の排出スタッカを配設する構成にも適用可能である。
上記構成の場合、ファクシミリ装置１００の制御部１０１は、夜間時刻において、排出用紙の枚数が所定の枚数（例えば１００枚）になる毎に、排出用紙積載部１０６５、排出スタッカ１、排出スタッカ２、・・・と順次排出先を変更するように、印刷部１０６を制御する。この構成により、ファクシミリ装置１００のサイズが大型化することを防止できる。
【００１７】
そして、印刷部１０６は、通信Ｉ／Ｆ部１０２（図２参照）を介して送信側のファクシミリ装置から受信した画像データに基づく印刷処理を行う。この印刷処理の動作に係る構成については、後述する制御構成の説明時に詳細説明する。
【００１８】
音声出力部１０８は、図１に示すように、音声を発するためのスピーカーから成る。
この音声出力部１０８は、後述する夜間時刻（午後６時から翌朝９時）になった際に、大容量トレイ１０６４への用紙補給をユーザに促す「補給警告メッセージ」を音声出力する。
上記「補給警告メッセージ」は、後述するＲＯＭ１０３に予め記憶されている。
本実施例１では、音声出力部１０８は、上記「補給警告メッセージ」を音声出力するためにのみ用いられる構成となっているが、これに限らず、通信Ｉ／Ｆ部１０２を介して画像データを受信したことを通知するための受信通知音を音声出力する構成にも適用可能である。
また、音声出力部１０８は、通信Ｉ／Ｆ部１０２を介して画像データの送信が完了したことを通知するための送信完了通知音を音声出力する構成にも適用可能である。
【００１９】
画像読取部２００は、図１に示すように、原稿を載置するための手差しトレイ２０１を有する。この手差しトレイ２０１は、図１に示すように、ファクシミリ装置１００の上部に位置するカバーと一体形成されている。そして、画像読取部２００は、上記カバーの下側と対面する位置に、図示しないガラス板からなる原稿載置台を有する。
この画像読取部２００は、「スタート」ボタン１０５３の押下に基づき、手差しトレイ２０１、又は図示しない原稿載置台に載置された原稿を読み取って画像データを生成する部分である。
本実施例１では、ファクシミリ装置１００のファクシミリ受信時の制御についてのみ説明を行うので、ファクシミリ送信時のみに用いる構成である、画像読取部２００の詳細説明を割愛する。
【００２０】
図２は、本発明に係る実施例１のファクシミリ装置１００の制御構成を示す図である。
ファクシミリ装置１００は、制御構成として、図２に示すように、装置全体を制御する制御部１０１と、通信Ｉ／Ｆ部１０２と、ＲＯＭ１０３と、ＲＡＭ１０４と、入力表示部１０５と、印刷部１０６と、計時部１０７と、音声出力部１０８とを備える。
【００２１】
通信Ｉ／Ｆ（Ｉｎｔｅｒ  Ｆａｃｅ）部１０２は、他のファクシミリ装置とファクシミリ通信（受信、又は送信）を行う部分である。
即ち、通信Ｉ／Ｆ部１０２は、ファクシミリ装置１００と、他のファクシミリ装置との間において、規定された通信シーケンスに基づいてファクシミリ通信を行う。
この通信シーケンスは周知の技術であるため、詳細説明を割愛する。
【００２２】
通信Ｉ／Ｆ部１０２がファクシミリ受信を行って画像データを取得すると、制御部１０１は、該画像データをＲＡＭ１０４の後述する画像データ記憶領域２０（図４参照）に記憶する。
【００２３】
図３は、ＲＯＭ１０３の構成を示す図である。
ＲＯＭ（Ｒｅａｄ  Ｏｎｌｙ  Ｍｅｍｏｒｙ）１０３は、制御部１０１の制御に基づきファクシミリ装置１００の各部において実行される、各プログラムを記憶する部分である。
このＲＯＭ１０３は、図３に示すように、「補給警告プログラム」を記憶するための補給警告プログラム記憶領域１０と、「ファクシミリ受信プログラム」を記憶するためのファクシミリ受信プログラム記憶領域１１と、「印刷制御プログラム」を記憶するための印刷制御プログラム記憶領域１２と、「給紙トレイ選択プログラム」を記憶するための給紙トレイ選択プログラム記憶領域１３と、「補給警告メッセージ」を記憶するための補給警告メッセージ記憶領域１４とを有する。
【００２４】
上記「補給警告プログラム」は、計時部１０７が計測する現在時刻が予め設定した夜間時刻（午後６時から翌朝９時）になると、制御部１０１が音声出力部１０８にユーザに対する大容量トレイ１０６４への用紙の補給を促す、上記「補給警告メッセージ」を出力させるべく、音声出力制御を行うために用いるプログラムである。この「補給警告プログラム」の構成については、後で詳細説明を行う。
【００２５】
上記「ファクシミリ受信プログラム」は、制御部１０１が通信Ｉ／Ｆ部１０２に相手側のファクシミリ装置からのファクシミリ（画像データ）を受信させ、該画像データをＲＡＭ１０４の画像データ記憶領域２０に記憶させるべく通信制御を行うために用いるプログラムである。この「ファクシミリ受信プログラム」の構成については、後で詳細説明を行う。
本実施例１では、ファクシミリ受信処理のみを説明するため、図３に示すようにＲＯＭ１０３に「ファクシミリ受信プログラム」を記憶する構成にしたが、これに限らず、該ＲＯＭ１０３には、ファクシミリ送信処理を行うための「ファクシミリ送信プログラム」も記憶されているものとする。
【００２６】
上記「印刷制御プログラム」は、制御部１０１がＲＡＭ１０４の画像データ記憶領域２０への画像データの記憶を完了した場合、印刷制御部１０６１にプリンタエンジンを制御させ、小容量トレイ１０６３及び大容量トレイ１０６４のいずれか一方のトレイから用紙を給紙して印刷させるべく、印刷制御を行うために用いるプログラムである。この「印刷制御プログラム」の構成については、後で詳細説明を行う。
【００２７】
上記「給紙トレイ選択プログラム」は、制御部１０１が印刷処理を行う場合、計時部１０７が計測する現在時刻が夜間時刻であるか否かに基づいて、小容量トレイ１０６３と、大容量トレイ１０６４とのいずれのトレイから用紙を給紙すべきかを選択させるべく、選択制御を行うために用いるプログラムである。この「給紙トレイ選択プログラム」の構成については、後で詳細説明を行う。
【００２８】
上記「補給警告メッセージ」は、計時部１０７が計測する現在時刻が予め設定した夜間時刻になると、制御部１０１が上記「補給警告プログラム」を実行時に用いる、ユーザに対する大容量トレイ１０６４への用紙補給を促す音声メッセージである。
【００２９】
図４は、ＲＡＭ１０４の構成を示す図である。
ＲＡＭ（Ｒａｎｄｏｍ  Ａｃｃｅｓｓ  Ｍｅｍｏｒｙ）１０４は、各種情報を一時的に記憶する記憶部である。
また、ＲＡＭ１０４は、ＲＯＭ１０３に記憶された上記各種プログラムを展開するためのワークメモリである。
このＲＡＭ１０４は、各種情報を記憶するために予め複数の記憶領域を有する。
ＲＡＭ１０４は、本発明の特徴となる記憶領域として、図４に示すように、画像データ記憶領域２０と、補給警告フラグ記憶領域２１と、給紙トレイポインタ記憶領域２２とを有する。
【００３０】
画像データ記憶領域２０は、通信Ｉ／Ｆ部１０２を介して取得した画像データを記憶するためのメモリである。
即ち、画像データ記憶領域２０は、制御部１０１の上記「ファクシミリ受信プログラム」実行時の通信制御に基づいて、画像データを記憶する。
この画像データ記憶領域２０に記憶された画像データは、当該画像データに基づく印刷処理が完了すると、制御部１０１の上記通信制御に基づいて、該記憶領域から削除される。
【００３１】
補給警告フラグ記憶領域２１は、音声出力部１０８による補給警告メッセージの音声出力が完了した、又は未完了かを示す各変数を記憶するためのメモリである。
即ち、補給警告フラグ記憶領域２１には、音声出力部１０８による補給警告メッセージの音声出力が完了すると、制御部１０１の上記「補給警告プログラム」実行時の音声出力制御に基づいて、警告が完了したことを示す「警告完了」が記憶される。
一方、補給警告フラグ記憶領域２１には、上記音声出力が未完了であると、制御部１０１の制御に基づいて、警告が未完了であることを示す変数「未警告」が記憶される。
【００３２】
給紙トレイポインタ記憶領域２２は、印刷処理に用いる用紙の給紙先となるトレイを示す変数を記憶するためのメモリである。
即ち、給紙トレイポインタ記憶領域２２には、計時部１０７の計測する現在時刻が夜間時刻の場合、制御部１０１の制御に基づいて、使用するトレイが大容量トレイ１０６４であることを示す、変数名「大容量トレイ」が記憶される。
一方、給紙トレイポインタ記憶領域２２には、現在時刻が夜間時刻ではない場合、制御部１０１の制御に基づいて、使用するトレイが小容量トレイ１０６３であることを示す、変数名「小容量トレイ」が記憶される。
【００３３】
入力表示部１０５は、上記説明したタッチパネルディスプレイ１０５１と、各種ボタン群１０５２と、「スタート」ボタン１０５３と、「キャンセル」ボタン１０５４とを備える。
【００３４】
印刷部１０６は、図２に示すように、印刷制御部１０６１と、プリンタエンジン１０６２と、小容量トレイ１０６３と、大容量トレイ１０６４と、排出用紙積載部１０６５とから構成される。
【００３５】
印刷制御部１０６１は、プリンタエンジン１０６２を制御し、小容量トレイ１０６３又は大容量トレイ１０６４のいずれかのトレイに積載保持される用紙を用いて、ファクシミリ受信した画像データに基づく印刷処理を行う。
【００３６】
プリンタエンジン１０６２は、画像データに基づく印刷処理を実行する実行部である。このプリンタエンジン１０６２は、図示しない各種印刷機構を用いて、小容量トレイ１０６３又は大容量トレイ１０６４からの用紙の給紙、感光体ドラムへの帯電、レーザ照射、トナーの塗布、用紙への転写及び定着を行う。
【００３７】
＜実施例１の動作＞
【００３８】
図５は、補給警告プログラムの構成を示すフローチャートである。
補給警告プログラムの構成について、図５を用いて詳細に説明を行う。
ファクシミリ装置１００を利用するユーザが該装置本体の図示しない電源ボタンをＯＮにすると、制御部１０１は、図示しない電源部からの電圧を該装置を構成する各部に供給して起動させる。そして、ファクシミリ装置１００の各部が起動すると、制御部１０１は、ＲＯＭ１０３の補給警告プログラム記憶領域１０に記憶されている補給警告プログラムを読み出す。補給警告プログラムは、制御部１０１に読み出されることにより、図５を示す各ステップが順次実行される。
【００３９】
制御部１０１は、計時部１０７が計測する現在時刻が予め設定した夜間時刻（午後６時から翌朝９時まで）であるか否かを判定し（ステップＳ１１）、夜間時刻であると、ＲＡＭ１０４の補給警告フラグ記憶領域２１に「ＯＮ」が記憶されているか否かを判定する（ステップＳ１２）。
【００４０】
一方、制御部１０１は、現在時刻が夜間時刻ではないと、補給警告フラグ記憶領域２１に「ＯＦＦ」を記憶されているか否かを検索し（ステップＳ１３）、「ＯＮ」が記憶されている場合には、該記憶領域に「ＯＦＦ」を記憶する（ステップＳ１４）。そして、制御部１０１は、「ＯＦＦ」を記憶すると、再びステップＳ１１の動作を行う。また、制御部１０１は、補給警告フラグ記憶領域２１に「ＯＦＦ」が記憶されている場合には、再びステップＳ１１の動作を行う。
【００４１】
そして、制御部１０１は、現在時刻が夜間時刻の場合において、補給警告フラグ記憶領域２１に「ＯＮ」が記憶されていると、再びステップＳ１１の動作を行う。
【００４２】
一方、制御部１０１は、補給警告フラグ記憶領域２１に「ＯＦＦ」が記憶されていると、ＲＯＭ１０３の補給警告メッセージ記憶領域１４に記憶されている補給警告メッセージを読み出し、音声出力部１０８に音声出力を指示すると共に、該メッセージを転送する。
【００４３】
音声出力部１０８は、上記音声出力の指示と共に、上記補給警告メッセージを受けると、スピーカーを用いて該メッセージを示す「夜間時刻になりました。大容量トレイへ用紙を補給してください。」を大音量で音声出力する（ステップＳ１５）。
【００４４】
音声出力部１０８が補給警告メッセージを音声出力し終えると、制御部１０１は、大容量トレイ１０６４に設置された図示しないセンサを用いて該トレイに用紙がセット（補給）されたことを検知すると（ステップＳ１６）、ＲＡＭ１０４の補給警告フラグ記憶領域２１に「ＯＮ」を記憶する（ステップＳ１７）。
このとき、制御部１０１は、大容量トレイ１０６４に用紙がセットされるまで、所定の時間間隔で、上記メッセージを大音量で音声出力する。
そして、制御部１０１は、上記記憶動作を終えると、再びステップＳ１１の動作を行う。
【００４５】
図６は、ファクシミリ受信プログラムの構成を示すフローチャートである。
ファクシミリ受信プログラムの構成について、図６を用いて詳細に説明を行う。
ファクシミリ装置１００の上記電源ボタンがＯＮになり、該装置の各部が起動すると、制御部１０１は、ＲＯＭ１０３のファクシミリ受信プログラム記憶領域１１に記憶されているファクシミリ受信プログラムを読み出す。ファクシミリ受信プログラムは、制御部１０１に読み出されることにより、図６を示す各ステップが順次実行される。
【００４６】
制御部１０１は、通信Ｉ／Ｆ部１０２を介して相手側ファクシミリ装置からファクシミリ（画像データ）を受信すると（ステップＳ２１）、該画像データをＲＡＭ１０４の画像データ記憶領域２０へ記憶させるべく処理を開始する（ステップＳ２２）。
【００４７】
一方、制御部１０１は、画像データを受信しない場合には、画像データの受信を待機すべく再びステップＳ２１の動作を行う。
【００４８】
そして、制御部１０１は、画像データ記憶領域２０に画像データを記憶し終えると（ステップＳ２３）、ファクシミリ受信機能が停止していないので（ステップＳ２４）、再びステップＳ２１の動作を行う。
【００４９】
一方、制御部１０１は、印刷部１０６の印刷機能が停止し（用紙切れ、又は用紙詰まりなどの原因により）、画像データ記憶領域２０に順次記憶された画像データのデータサイズが増加して該領域のメモリ容量が飽和し、画像データを記憶できなくなると、ファクシミリ受信機能を停止する（ステップＳ２５）。そして、制御部１０１は、画像データ記憶領域２０に当該画像データを記憶し終えると（ステップＳ２３）、ファクシミリ受信機能が停止しているので（ステップＳ２４）、ファクシミリ受信機能停止を解除する（ステップＳ２６）。制御部１０１は、ファクシミリ受信機能停止を解除すると、再びステップＳ２１の動作を行う。ここで、制御部１０１は、画像データの記憶が完了するまで、ファクシミリ受信機能を停止させる。
【００５０】
図７は、印刷制御プログラムの構成を示すフローチャートである。
印刷制御プログラムの構成について、図７を用いて詳細に説明を行う。
ファクシミリ装置１００の上記電源ボタンがＯＮになり、該装置の各部が起動すると、制御部１０１は、ＲＯＭ１０３に記憶されているトレイ選択プログラムを読み出す。トレイ選択プログラムは、制御部１０１に読み出されることにより、図７を示す各ステップが順次実行される。
【００５１】
制御部１０１は、ＲＡＭ１０４の画像データ記憶領域２０に画像データが記憶されている場合には（ステップＳ３１）、ＲＯＭ１０３の給紙トレイ選択プログラム記憶領域１３に記憶されている給紙トレイ選択プログラムを読み出す。
【００５２】
そして、制御部１０１は、上記給紙トレイ選択処理を終えると、ＲＡＭ１０４の給紙トレイポインタ記憶領域２２に記憶された変数名に基づいて、小容量トレイ１０６３、大容量トレイ１０６４のいずれか一方のトレイに積載保持される用紙を給紙して、印刷処理を行う。
【００５３】
一方、制御部１０１は、画像データ記憶領域２０に画像データが記憶されていない場合には、再びステップＳ３１の動作を行う。
【００５４】
制御部１０１は、印刷処理を終えると、画像データ記憶領域２０に記憶された当該処理済の画像データを削除する（ステップＳ３４）。そして、制御部１０１は、再びステップＳ３１の動作を行う。
【００５５】
図８は、給紙トレイ選択プログラムの構成を示すフローチャートである。
給紙トレイ選択プログラムの構成について、図８を用いて詳細に説明を行う。
ファクシミリ装置１００の電源ボタンがＯＮになり、該装置の各部が起動すると、制御部１０１は、ＲＯＭ１０３の給紙トレイ選択プログラムに記憶されている給紙トレイ選択プログラムを読み出す。給紙トレイ選択プログラムは、制御部１０１に読み出されることにより、図８を示す各ステップが順次実行される。
【００５６】
制御部１０１は、計時部１０７が計測する現在時刻が夜間時刻（午後６時から翌朝９時まで）の場合には（ステップＳ４１）、ＲＡＭ１０４の給紙トレイポインタ記憶領域２２に記憶された変数が「大容量トレイ」であるか否かを判断する（ステップＳ４２）。
【００５７】
そして、制御部１０１は、上記記憶領域に記憶された変数が「小容量トレイ」の場合には、大容量トレイ１０６４を給紙トレイに選択すべく、該記憶領域に変数「大容量トレイ」を記憶する（ステップＳ４３）。制御部１０１は、上記記憶処理を終えると、再びステップＳ４１の動作を行う。
【００５８】
一方、制御部１０１は、上記変数が「大容量トレイ」の場合には、再びステップＳ４１の動作を行う。
【００５９】
また、制御部１０１は、現在時刻が夜間時刻ではない場合には、上記記憶領域に記憶された変数が「大容量トレイ」の場合には（ステップＳ４４）、小容量トレイ１０６３を給紙トレイに選択すべく、該記憶領域に変数「小容量トレイ」を記憶する（ステップＳ４５）。制御部１０１は、上記記憶処理を終えると、再びステップＳ４１の動作を行う。
【００６０】
一方、制御部１０１は、上記記憶領域に記憶された変数が「小容量トレイ」の場合には、再びステップＳ４１の動作を行う。
【００６１】
＜実施例１の効果＞
本実施例１のファクシミリ装置１００は、多量（例えば５００枚）の用紙を積載可能な大容量トレイ１０６４を備え、夜間時刻になると、該トレイへの用紙補給を促す「補給警告メッセージ」を音声出力部１０８のスピーカーから音声出力するので、オフィス内のいずれかの社員は、該通知を聞いて該トレイへ用紙補給を行う。これにより、夜間において大容量トレイ１０６４には多量の用紙が積載保持される。そして、夜間にファクシミリ受信を行った場合、制御部１０１が受信した画像データに基づく印刷処理を大容量トレイ１０６４を用いて行うよう制御するので、用紙切れが生じる頻度を低減することができる。従って、本発明によれば、用紙切れにより印刷機能及びファクシミリ受信機能が停止する頻度を低減することが可能となる。
【実施例２】
【００６２】
＜実施例２の構成＞
本発明の実施例２のファクシミリ装置１００ａは、実施例１のファクシミリ装置１００が有する小容量トレイ１０６３及び大容量トレイ１０６４の代わりに、通常の枚数（例えば３００枚）の用紙を積載可能な第１トレイ１０６６及び第２トレイ１０６７を有する構成に変更したものである（図９参照）。
【００６３】
また、ファクシミリ装置１００ａは、第１トレイ１０６６及び第２トレイ１０６７のいずれか一方のトレイに印刷未処理の用紙を積載保持させ、かつ他のトレイに片面のみが印刷処理済の用紙（裏紙）を積載保持させる構成に変更したものである。
【００６４】
更に、ファクシミリ装置１００ａは、入力表示部１０５ａに、夜間時刻に印刷処理に用いる夜間トレイとして、必ず印刷未処理の用紙を収容させるトレイを第１トレイ１０６６及び第２トレイ１０６７のいずれにするのかを、ユーザに設定させるべく、第１トレイ指定ボタン１０５５と、第２トレイ指定ボタン１０５６とを追加した構成に変更したものである（図９参照）。
【００６５】
そして、ファクシミリ装置１００ａは、画像読取部２００の下面と、排出用紙積載部１０６５ａとの間隔Ｌ´を、実施例１のファクシミリ装置１００における間隔Ｌと比べ、短くする構成に変更したものである（図９参照）。
尚、本実施例において、実施例１と同一の構成については同一の符号で示し、これらについての詳しい説明を省略する。
【００６６】
図９は、本発明に係る実施例２のファクシミリ装置１００ａの外観を示す図である。
ファクシミリ装置１００ａは、図９に示すように、入力表示部１０５ａと、印刷部１０６ａと、音声出力部１０８ａと、該装置の上部に位置する画像読取部２００と、該装置の下部に着脱可能に装着されている第１トレイ１０６６及び第２トレイ１０６７とを備える。
【００６７】
入力表示部１０５ａは、図９に示すように、タッチパネルディスプレイ１０５１と、各種ボタン群１０５２と、「スタート」ボタン１０５３と、「キャンセル」ボタン１０５４と、第1トレイ指定ボタン１０５５と、第２トレイ指定ボタン１０５６とから構成される。
【００６８】
第１トレイ指定ボタン１０５５は、ユーザにより夜間に印刷を行う場合に用いる給紙トレイ（夜間トレイ）として、第１トレイ１０６６を指定するために用いるボタンである。
第２トレイ指定ボタン１０５６は、ユーザにより夜間に印刷を行う場合に用いる夜間トレイとして、第２トレイ１０６７を指定するために用いるボタンである。
ここで、第１トレイ指定ボタン１０５５及び第２トレイ指定ボタン１０５６がユーザにより夜間時刻に押下された場合、該押下は無効になる。
尚、入力表示部１０５ａの他の構成は、実施例１の入力表示部１０５の構成と同じである。
【００６９】
印刷部１０６ａは、上記第１トレイ１０６６と、第２トレイ１０６７と、排出用紙積載部１０６５ａとを有する。
第１トレイ１０６６は、通常の枚数（例えば３００枚まで）を収容可能な用紙トレイである。
第２トレイ１０６７は、通常の枚数（例えば３００枚まで）を収容可能な用紙トレイである。
第１トレイ１０６６及び第２トレイ１０６７のいずれか一方のトレイには、印刷未処理の用紙を収容し、他のトレイには、片面のみが印刷処理済の用紙（裏紙）を収容する。
本実施例２では、ファクシミリ装置１００ａが、図９に示すように、２つの用紙トレイ（第１トレイ１０６６及び第２トレイ１０６７）を有する構成になっているが、本発明はこれに限らず、３つ以上の用紙トレイを有する構成にも適用可能である。
【００７０】
排出用紙積載部１０６５ａは、ファクシミリ装置１００ａの図示しない排出部から排出された、印刷処理が完了した用紙を積載保持するための部分である。
この排出用紙積載部１０６５ａは、図９に示すように、通常の枚数（最大３００枚）の用紙を積載可能にすべく、該排出用紙積載部１０６５ａと画像読取部２００の下部との間隔Ｌ´を、実施例１のファクシミリ装置１００における間隔Ｌと比べ、短くする構成となっている。
尚、印刷部１０６ａの他の構成は、実施例１の印刷部１０６の構成と同じである。
【００７１】
音声出力部１０８ａは、図９に示すように、音声を発するためのスピーカーから成る。
この音声出力部１０８ａは、夜間時刻になると、制御部１０１ａ（図１０参照）の制御に基づいて、第１トレイ１０６６への用紙補給をユーザに促す「第１トレイ補給警告メッセージ」、又は第２トレイ１０６７への用紙補給をユーザに促す「第２トレイ補給警告メッセージ」のいずれか一方を音声出力する。
上記「第１トレイ補給警告メッセージ」及び「第２トレイ補給警告メッセージ」は、後述するＲＯＭ１０３ａ（図１２参照）に予め記憶されている。
尚、音声出力部１０８ａの他の構成は、実施例１の音声出力部１０８の構成と同じである。
【００７２】
図１０は、本発明に係る実施例２のファクシミリ装置１００ａの制御構成を示す図である。
ファクシミリ装置１００ａは、制御構成として、図１０に示すように、装置全体を制御する制御部１０１ａと、通信Ｉ／Ｆ部１０２と、ＲＯＭ１０３ａと、ＲＡＭ１０４ａと、入力表示部１０５ａと、印刷部１０６ａと、計時部１０７と、音声出力部１０８ａとを備える。
【００７３】
図１１は、ＲＯＭ１０３ａの構成を示す図である。
ＲＯＭ１０３ａは、制御部１０１ａの制御に基づき各部において実行される、各プログラムを記憶する部分である。
このＲＯＭ１０３ａは、図１１に示すように、「補給警告プログラム２」を記憶するための補給警告プログラム記憶領域１０ａと、「ファクシミリ受信プログラム」を記憶するためのファクシミリ受信プログラム記憶領域１１と、「印刷制御プログラム」を記憶するための印刷制御プログラム記憶領域１２と、「給紙トレイ選択プログラム２」を記憶するための給紙トレイ選択プログラム記憶領域１３ａと、「第１トレイ補給警告メッセージ」及び「第２トレイ補給警告メッセージ」を記憶するための補給警告メッセージ記憶領域１４ａと、「夜間トレイ設定プログラム」を記憶するための夜間トレイ設定プログラム記憶領域１５と、「押下無効メッセージ」を記憶するための押下無効メッセージ記憶領域１６とを有する。
【００７４】
上記「補給警告プログラム２」は、計時部１０７が計測する現在時刻が夜間時刻になると、制御部１０１ａが音声出力部１０８ａにユーザに対する夜間トレイ（第１トレイ１０６６、又は第２トレイ１０６７）への補給を促す、上記「第１トレイ補給警告メッセージ」、又は「第２トレイ補給警告メッセージ」を出力させるべく、音声出力制御を行うために用いるプログラムである。この「補給警告プログラム２」の構成については、後で詳細説明を行う。
【００７５】
上記「給紙トレイ選択プログラム」は、制御部１０１ａが印刷処理を行う場合、計時部１０７が計測する現在時刻が夜間時刻であるか否かに基づいて、第１トレイ１０６６と、第２トレイ１０６７とのいずれのトレイから用紙を給紙すべきかを選択させるべく、選択制御を行うために用いるプログラムである。この「給紙トレイ選択プログラム２」の構成については、後で詳細説明を行う。
【００７６】
上記「夜間トレイ設定プログラム」は、ユーザからの第１トレイ指定ボタン１０５５、又は第２トレイ指定ボタン１０５６の押下に基づいて、制御部１０１ａが夜間時刻の印刷処理に用いる夜間トレイ（第１トレイ１０６６、又は第２トレイ１０６７）を設定させるべく、設定制御を行うために用いるプログラムである。この「夜間トレイ設定プログラム」の構成については、後で詳細説明を行う。
【００７７】
上記「第１トレイ補給警告メッセージ」は、計時部１０７が計測する現在時刻が夜間時刻になると、制御部１０１ａが上記「補給警告プログラム２」を実行時に用いる、ユーザに対する第１トレイ１０６６への用紙補給を促す音声メッセージである。
また、上記「第２トレイ補給警告メッセージ」は、制御部１０１ａが上記「補給警告プログラム２」を実行時に用いる、ユーザに対する第２トレイ１０６７への用紙補給を促す音声メッセージである。
尚、ＲＯＭ１０３ａの他の構成は、実施例１のＲＯＭ１０３の構成と同じである。
【００７８】
図１２は、ＲＡＭ１０４ａの構成を示す図である。
ＲＡＭ１０４ａは、各種情報を一時的に記憶する記憶部である。
また、ＲＡＭ１０４ａは、ＲＯＭ１０３ａに記憶された上記各種プログラムを展開するためのワークメモリである。
このＲＡＭ１０４ａは、各種情報を記憶するために予め複数の記憶領域を有する。
ＲＡＭ１０４ａは、本発明の特徴となる記憶領域として、図４に示すように、画像データ記憶領域２０と、補給警告フラグ記憶領域２１と、給紙トレイポインタ記憶領域２２ａと、夜間トレイポインタ記憶領域２３とを有する。
【００７９】
給紙トレイポインタ記憶領域２２ａは、印刷処理に用いる用紙の給紙先となるトレイを示す変数を記憶するためのメモリである。
即ち、給紙トレイポインタ記憶領域２２ａには、計時部１０７の計測する現在時刻が夜間時刻の場合、制御部１０１ａの制御に基づいて、使用するトレイが後述する夜間トレイであることを示す、変数名「夜間トレイ」が記憶される。
一方、給紙トレイポインタ記憶領域２２ａには、現在時刻が夜間時刻ではない場合、制御部１０１ａの制御に基づいて、使用するトレイが上記夜間トレイではないトレイであることを示す、変数名「夜間トレイではないトレイ」が記憶される。
【００８０】
夜間トレイポインタ記憶領域２３は、夜間時刻での印刷処理に用いる用紙の給紙先となるトレイを示す変数を記憶するためのメモリである。
即ち、夜間トレイポインタ記憶領域２３には、ユーザが夜間時刻ではない時間に第１トレイ指定ボタン１０５５を押下した場合、制御部１０１ａの制御に基づいて、夜間に使用するトレイが第１トレイ１０６６であることを示す、変数名「第１トレイ」が記憶される。
一方、夜間トレイポインタ記憶領域２３には、ユーザが夜間時刻ではない時間に第２トレイ指定ボタン１０５６を押下した場合、制御部１０１ａの制御に基づいて、夜間に使用するトレイが第２トレイ１０６７であることを示す、変数名「第２トレイ」が記憶される。
【００８１】
＜実施例２の動作＞
図１３は、夜間トレイ設定プログラムの構成を示すフローチャートである。
夜間トレイ設定プログラムの構成について、図１３を用いて詳細に説明を行う。
ファクシミリ装置１００ａを利用するユーザが該装置本体の図示しない電源ボタンをＯＮにすると、制御部１０１ａは、図示しない電源部からの電圧を該装置を構成する各部に供給して起動させる。そして、ファクシミリ装置１００ａの各部が起動すると、制御部１０１ａは、ＲＯＭ１０３ａの夜間トレイ設定プログラム記憶領域１５に記憶されている夜間トレイ設定プログラムを読み出す。夜間トレイ設定プログラムは、制御部１０１ａに読み出されることにより、図１３が示す各ステップが順次実行される。
【００８２】
制御部１０１ａは、先ず、ＲＡＭ１０４ａの夜間トレイポインタ記憶領域２３に夜間トレイを示す変数の初期値として、「第２トレイ」を設定する（ステップＳ５１）。
【００８３】
制御部１０１ａは、ユーザにより第１トレイ指定ボタン１０５５、又は第２トレイ指定ボタン１０５６が押下されると（ステップＳ５２）、夜間時刻であるか否かを判定する（ステップＳ５３）。
【００８４】
そして、制御部１０１ａは、夜間時刻でない場合、押下されたボタンが「第１トレイ指定ボタン１０５５」であると（ステップＳ５４）、夜間トレイポインタ記憶領域２３に変数名「第１トレイ」を記憶する（ステップＳ５５）。
【００８５】
一方、制御部１０１ａは、押下されたボタンが「第２トレイ指定ボタン１０５６」であると、既に変数名「第２トレイ」が設定されているので、ステップＳ５２の動作に戻る。
【００８６】
また、制御部１０１ａは、夜間時刻の場合、ＲＯＭ１０３ａの押下無効メッセージ記憶領域１６に記憶されている「押下無効メッセージ」を読み出し、タッチパネルディスプレイ１０５１上に、例えば「夜間時刻での夜間トレイ指定ボタンの押下は無効となります。」旨のメッセージを表示させる（ステップＳ５６）。
【００８７】
図１４は、補給警告プログラム２の構成を示すフローチャートである。
補給警告プログラム２の構成について、図１４を用いて詳細に説明を行う。
ファクシミリ装置１００ａを利用するユーザが該装置本体の図示しない電源ボタンをＯＮにすると、制御部１０１ａは、図示しない電源部からの電圧を該装置を構成する各部に供給して起動させる。そして、ファクシミリ装置１００ａの各部が起動すると、制御部１０１ａは、ＲＯＭ１０３ａの補給警告プログラム記憶領域１０ａに記憶されている「補給警告プログラム２」を読み出す。補給警告プログラム２は、制御部１０１ａに読み出されることにより、図１４を示す各ステップが順次実行される。
【００８８】
実施例２のステップＳ６１〜Ｓ６４の動作は、実施例１のステップＳ１１〜Ｓ１４の動作と同じである。
【００８９】
制御部１０１ａは、補給警告フラグ記憶領域２１に「ＯＦＦ」が記憶されていると、ＲＡＭ１０４ａの夜間トレイポインタ記憶領域２３に記憶された変数を読み出す。そして、制御部１０１ａは、読み出した変数が「第１トレイ」の場合（ステップＳ６５）、ＲＯＭ１０３ａの補給警告メッセージ記憶領域１４ａの第１トレイ補給警告メッセージ記憶領域１４１に記憶されている「第１トレイ補給警告メッセージ」を読み出し、音声出力部１０８ａに音声出力を指示すると共に、該メッセージを転送する。
【００９０】
一方、制御部１０１ａは、上記読み出した変数が「第２トレイ」の場合、補給警告メッセージ記憶領域１４ａの第２トレイ補給警告メッセージ記憶領域１４２に記憶されている「第２トレイ補給警告メッセージ」を読み出し、音声出力部１０８ａに音声出力を指示すると共に、該メッセージを転送する。
【００９１】
音声出力部１０８ａは、上記音声出力の指示と共に、「第１トレイ補給警告メッセージ」を受けると、スピーカーを用いて該メッセージを示す、例えば「夜間時刻になりました。第１トレイへの用紙を補給してください。」を大音量で音声出力する（ステップＳ６６）。
【００９２】
音声出力部１０８ａが「第１トレイ補給警告メッセージ」を音声出力し終えると、制御部１０１ａは、第１トレイ１０６６に設置された図示しないセンサを用いて該トレイに用紙がセット（補給）されたことを検知すると（ステップＳ６７）、ＲＡＭ１０４ａの補給警告フラグ記憶領域２１に「ＯＮ」を記憶する（ステップＳ６８）。
このとき、制御部１０１ａは、第１トレイ１０６６に用紙がセットされるまで、所定の時間間隔で、上記メッセージを大音量で音声出力する。
【００９３】
一方、音声出力部１０８ａは、上記音声出力の指示と共に、「第２トレイ補給メッセージ」を受けると、スピーカーを用いて該メッセージを示す、例えば「夜間時刻になりました。第２トレイへの用紙を補給してください。」を大音量で音声出力する（ステップＳ６９）。
【００９４】
音声出力部１０８ａが「第２トレイ補給メッセージ」を音声出力し終えると、制御部１０１ａは、第２トレイ１０６７に設置された図示しないセンサを用いて該トレイに用紙がセット（補給）されたことを検知すると（ステップＳ７０）、ＲＡＭ１０４ａの補給警告フラグ記憶領域２１に「ＯＮ」を記憶する（ステップＳ６８）。
このとき、制御部１０１ａは、第２トレイ１０６７に用紙がセットされるまで、所定の時間間隔で、上記メッセージを大音量で音声出力する。
そして、制御部１０１ａは、上記記憶動作を終えると、再びステップＳ６１の動作を行う。
【００９５】
図１５は、給紙トレイ選択プログラム２の構成を示すフローチャートである
給紙トレイ選択プログラム２の構成について、図１５を用いて詳細に説明を行う。
ファクシミリ装置１００ａの電源ボタンがＯＮになり、該装置の各部が起動すると、制御部１０１ａは、ＲＯＭ１０３ａの給紙トレイ選択プログラム記憶領域１３ａに記憶されている給紙トレイ選択プログラム２を読み出す。給紙トレイ選択プログラム２は、制御部１０１ａに読み出されることにより、図１５を示す各ステップが順次実行される。
【００９６】
制御部１０１ａは、計時部１０７が計測する現在時刻が夜間時刻の場合には（ステップＳ７１）、夜間トレイを給紙トレイに選択すべく、該記憶領域に変数「夜間トレイ」を記憶する（ステップＳ７２）。制御部１０１ａは、上記記憶処理を終えると、再びステップＳ７１の動作を行う。
【００９７】
一方、制御部１０１ａは、現在時刻が夜間時刻ではない場合には、夜間トレイではないトレイを給紙トレイに選択すべく、該記憶領域に変数「夜間トレイではないトレイ」を記憶する（ステップＳ７３）。制御部１０１ａは、上記記憶処理を終えると、再びステップＳ７１の動作を行う。
【００９８】
＜実施例２の効果＞
本実施例２のファクシミリ装置１００ａは、印刷未処理の用紙と、裏紙とを第１トレイ１０６６及び第２トレイ１０６７とに各々収容し、該印刷未処理の用紙を収容したトレイに該当するトレイを第１トレイ指定ボタン１０５５又は第２トレイ指定ボタン１０５６により入力設定し、夜間時刻になると、該印刷未処理の用紙を収容したトレイへの用紙補給を促すメッセージを音声出力部１０８ａのスピーカーから音声出力するので、オフィス内のいずれかの社員は、該通知を聞いて、該印刷未処理の用紙が収容されたトレイへ用紙補給を行う。これにより、夜間にファクシミリ受信を行った場合、制御部１０１ａが受信した画像データに基づく印刷処理を印刷未処理の用紙を用いて行うよう制御する（裏紙を使用しない）ので、用紙詰まりが生じる頻度を低減することができる。従って、本発明によれば、用紙詰まりにより印刷機能及びファクシミリ受信機能が停止する頻度を低減することが可能となる。
【産業上の利用可能性】
【００９９】
前記した実施例では、本発明の画像記録装置をファクシミリ装置として説明したが、これに限る必要はなく、例えばファクシミリ機能と、プリンタ機能とを有する複合機（ＭＦＰ）にも適用可能である。
【符号の説明】
【０１００】
１００  ファクシミリ装置
１０５５  第１トレイ指定ボタン
１０５６  第２トレイ指定ボタン
１０６３  小容量トレイ
１０６４  大容量トレイ
１０６６  第１トレイ
１０６７  第２トレイ
１０７  計時部
１０８  音声出力部
【図１】
0005585068.tif 000002
【図２】
0005585068.tif 000003
【図３】
0005585068.tif 000004
【図４】
0005585068.tif 000005
【図５】
0005585068.tif 000006
【図６】
0005585068.tif 000007
【図７】
0005585068.tif 000008
【図８】
0005585068.tif 000009
【図９】
0005585068.tif 000010
【図１０】
0005585068.tif 000011
【図１１】
0005585068.tif 000012
【図１２】
0005585068.tif 000013
【図１３】
0005585068.tif 000014
【図１４】
0005585068.tif 000015
【図１５】
0005585068.tif 000016